(57)【特許請求の範囲】
【請求項１】
Ｒ，Ｇ，Ｂの表示色のそれぞれに対応して設けられた有機ＥＬパネルの端子ピンを介して前記有機ＥＬパネルを電流駆動する有機ＥＬ駆動回路において、
前記端子ピンに陽極側が接続された有機ＥＬ素子の電荷を放電するために前記端子ピンと第１の電位のラインとの間に接続され前記Ｒ，Ｇ，Ｂの前記端子ピンに対応してそれぞれ設けられた３個以上の第１のスイッチ回路と、
前記有機ＥＬ素子の陽極側を素子発光電圧未満の所定の電位に設定するために前記端子ピンと第２の電位のラインとの間に接続され前記Ｒ，Ｇ，Ｂの前記端子ピンに対応してそれぞれ設けられた３個以上の第２のスイッチ回路と、
前記有機ＥＬ素子を電流駆動する前に前記陽極側を前記所定の電位に設定するためにあらかじめ設定された所定期間において前記第１のスイッチ回路をＯＮさせた後にＯＦＦさせて第２のスイッチ回路をＯＮさせるパルスを発生するパルス発生回路とを備え、
前記パルス発生回路は、前記Ｒ，Ｇ，Ｂのホワイトバランスを採る輝度調整のために前記Ｒ，Ｇ，Ｂの少なくとも２つについて前記所定の電位を相違させるパルス幅の前記パルスを発生する有機ＥＬ駆動回路。
【請求項２】
前記所定期間はリセット期間であり、前記パルス発生回路の前記パルスは、前記有機ＥＬ素子を前記第２の電位により決定される電圧に定電圧リセットするためのものであり、前記第１の電位のラインの電位は、前記第２の電位のラインの電位よりも低い請求項１記載の有機ＥＬ駆動回路。
【請求項３】
前記パルス発生回路は、それぞれに前記第１のスイッチ回路をＯＮさせた後にＯＦＦさせて第２のスイッチ回路をＯＮさせる複数の前記パルスを発生し、これら複数のパルスのそれぞれは、第１のパルスと第２のパルスからなり、前記第１のパルスが前記第１のスイッチ回路をＯＮさせた後にＯＦＦさせ、前記第２のパルスが前記第２のスイッチ回路をＯＮさせて前記リセット期間内にＯＦＦさせるものであり、前記第１の電位のラインは、グランドラインであり、前記第２の電位は、グランド電位よりも高い請求項２記載の有機ＥＬ駆動回路。
【請求項４】
前記リセット期間は、ディスチャージ期間と前記有機ＥＬ素子を定電圧に設定するためのプリチャージ期間とからなり、前記第１のパルスのパルス幅は、前記ディスチャージ期間に対応し、前記第２のパルスのパルス幅は、前記プリチャージ期間に対応している請求項３記載の有機ＥＬ駆動回路。
【請求項５】
前記第２の電位ラインは、前記Ｒ，前記Ｇおよび前記Ｂの表示色のそれぞれに対応してそれぞれ設けられ、前記Ｒについての前記第２の電位ラインの電位は、前記Ｇあるいは前記Ｂについての前記第２の電位ラインの電位と相違する請求項４記載の有機ＥＬ駆動回路。
【請求項６】
前記パルス発生回路は、前記第１のパルスにより前記第１のスイッチ回路をＯＮさせて一旦前記グランドの電位に前記有機ＥＬ素子の陽極側を設定するものであり、前記Ｒについての前記第１のパルスの前記パルス幅は、前記Ｇおよび前記Ｂについての前記第１のパルスの前記パルス幅より短く、前記Ｒについての前記有機ＥＬ素子の前記所定の電位よりも前記Ｇおよび前記Ｂについての前記有機ＥＬ素子の前記所定の電位が低い請求項５記載の有機ＥＬ駆動回路。
【請求項７】
さらに、基準電流発生回路と基準電流生成回路とを前記Ｒ，Ｇ，Ｂに対応してそれぞれ有し、前記第２の電位のラインは前記Ｒ，Ｇ，Ｂに対応してそれぞれ設けられ、各前記基準電流生成回路は、前記基準電流発生回路から基準電流と外部から設定されるデータとを受けて前記データに応じた電流値の電流を前記端子ピンに送出する駆動電流あるいはその基礎となる電流として生成し、前記Ｒ，Ｇ，Ｂのホワイトバランスを採る輝度調整をするために前記基準電流生成回路の電流値が前記Ｒ，Ｇ，Ｂ対応にそれぞれ設定される請求項６記載の有機ＥＬ駆動回路。
【請求項８】
Ｒ，Ｇ，Ｂの表示色のそれぞれに対応する有機ＥＬパネルの端子ピンを介して前記有機ＥＬパネルを電流駆動する有機ＥＬ表示装置において、
前記端子ピンに陽極側が接続された有機ＥＬ素子の電荷を放電するために前記端子ピンと第１の電位のラインとの間に接続され前記Ｒ，Ｇ，Ｂの前記端子ピンに対応してそれぞれ設けられた３個以上の第１のスイッチ回路と、
前記有機ＥＬ素子の陽極側を所定の電位に設定するために前記端子ピンと第２の電位のラインとの間に接続され前記Ｒ，Ｇ，Ｂの前記端子ピンに対応してそれぞれ設けられた３個以上の第２のスイッチ回路と、
前記有機ＥＬ素子を電流駆動する前に前記陽極側を前記所定の電位に設定するためにあらかじめ設定された所定期間において前記第１のスイッチ回路をＯＮさせた後にＯＦＦさせて第２のスイッチ回路をＯＮさせるパルスを発生するパルス発生回路とを備え、
前記パルス発生回路は、前記Ｒ，Ｇ，Ｂのホワイトバランスを採る輝度調整のために前記Ｒ，Ｇ，Ｂの少なくとも２つについて前記所定の電位を相違させるパルス幅の前記パルスを発生する有機ＥＬ表示装置。
【請求項９】
前記所定期間は、ディスチャージ期間と前記有機ＥＬ素子を定電圧に設定するためのプリチャージ期間とからなるリセット期間であり、前記パルス発生回路の前記パルスは、前記有機ＥＬ素子を前記第２の電位により決定される電圧に定電圧リセットするためのものであり、前記第１の電位のラインの電位は、前記第２の電位のラインの電位よりも低い請求項８記載の有機ＥＬ表示装置。
【請求項１０】
前記パルス発生回路は、それぞれに前記第１のスイッチ回路をＯＮさせた後にＯＦＦさせて第２のスイッチ回路をＯＮさせる複数の前記パルスを発生し、これら複数のパルスのそれぞれは、第１のパルスと第２のパルスからなり、前記第１のパルスは、前記ディスチャージ期間に対応して前記第１のスイッチ回路をＯＮさせた後にＯＦＦさせ、前記第２のパルスは、前記プリチャージ期間に対応して前記第２のスイッチ回路をＯＮさせて前記リセット期間内にＯＦＦさせるものであり、前記第１の電位のラインは、グランドラインであり、前記第２の電位は、グランド電位よりも高い請求項９記載の有機ＥＬ表示装置。
【発明の詳細な説明】
【技術分野】
【０００１】
この発明は、有機ＥＬ駆動回路およびこれを用いる有機ＥＬ表示装置に関し、詳しくは、有機ＥＬ素子の表示輝度を向上させることができ、さらには、携帯電話機，ＰＨＳ等の表示装置を有する電子機器のＲ（赤），Ｇ（緑），Ｂ（青）の輝度調整による表示画面上でのホワイトバランス調整において、Ｒ，Ｇ，Ｂの各基準電流値の調整ダイナミックレンジが小さくても精度よくホワイトバランス調整ができるような高輝度カラー表示に適した有機ＥＬ表示装置に関する。
【背景技術】
【０００２】
携帯電話機，ＰＨＳ、ＤＶＤプレーヤ、ＰＤＡ（携帯端末装置）等に搭載される有機ＥＬ表示装置の有機ＥＬ表示パネルでは、カラムラインの数が３９６個（１３２×３）の端子ピン、ローラインが１６２個の端子ピンを持つものが提案され、カラムライン、ローラインの端子ピンはこれ以上に増加する傾向にある。
このような有機ＥＬ表示パネルの電流駆動回路の出力段は、アクディブマトリックス型でも単純マトリックス型のものでも端子ピン対応に電流源の駆動回路、例えば、カレントミラー回路による出力回路が設けられている。なお、単純マトリックス型の駆動電流の場合は、容量性負荷特性を持つ有機ＥＬ素子を初期充電（早期に発光させるための発光開始時の充電）して早期に発光させるためにピーク電流を持つ駆動電流が利用される。また、特に、単純マトリックス型のものでは、Ｒ，Ｇ，Ｂの発光輝度むらを防止するために電流駆動後にリセット期間を設けて次に電流駆動する有機ＥＬ素子の残留電荷を発光電圧未満の所定電圧（例えば、数Ｖ）まで定電圧リセットし、あるいは残留電荷をグランド電位にディスチャージしている。これにより、リセットの後に発生するピーク電流による電流駆動の際にピーク電流値とその波形が変動しないで済む。
【０００３】
なお、マトリックス状に配置した有機ＥＬ素子を電流駆動し、かつ、有機ＥＬ素子の陽極と陰極をグランドに落としてリセットする有機ＥＬ素子の駆動回路が公知である（特許文献１）。また、ＤＣ−ＤＣコンバータを用いて有機ＥＬ素子を低消費電力で電流駆動する技術が公知である（特許文献２）。
【特許文献１】特開平９−２３２０７４号公報
【特許文献２】特開２００１−１４３８６７号公報
【発明の開示】
【発明が解決しようとする課題】
【０００４】
有機ＥＬ表示装置の問題点の１つは、所定のリセット期間が必要であり、スキャン周波数が高くなると、発光期間が短くなり、輝度が落ちることである。特に、定電圧リセットの場合には、発光後の有機ＥＬ素子の残留電荷を発光電圧未満の所定電圧まで放電しなければならず、Ｒ，Ｇ，Ｂのうちもっとも放電期間の長いものにリセット期間を合わせるために、どうしてもリセット期間が長くなることである。これに対して、グランド電位にディスチャージしてリセットする場合には、ディスチャージ期間は短くできるが、その後、グランド電位からピーク電流が立ち上がるまでの期間が長くなって、結局、実質的な発光期間は短くなり、発光輝度が落ちる。
また、他の問題点の１つは、液晶表示装置のように電圧駆動を行うと、輝度ばらつきが大きくなり、かつ、Ｒ，Ｇ，Ｂに発光感度差があることから表示制御が難しくなる点である。そのために電流駆動を行うことになるが、電流駆動を行っても、Ｒ，Ｇ，Ｂの駆動電流に対する発光効率の比は、例えば、Ｒ：Ｇ：Ｂ＝６：１１：１０程度と差があって、このような発光効率は、使用される有機ＥＬ素子の材料によって異なってくる。
そこで、カラー表示における電流駆動回路では、Ｒ，Ｇ，Ｂ対応に使用材料に応じて輝度調整をして表示画面上でホワイトバランスを採る必要がある。そのために、Ｒ，Ｇ，Ｂ対応に輝度調整をする調整回路が設けられている。
【０００５】
有機ＥＬ表示装置の電流駆動回路では、通常、基準電流を電流増幅して各カラムピン対応に有機ＥＬ素子の駆動電流を生成するので、ホワイトバランスを採るための駆動電流の調整は、Ｒ，Ｇ，Ｂに対応するそれぞれの基準電流を調整することで行われている。
基準電流を調整するために、従来、基準電流発生回路に４ビット程度のＤ／Ａ変換回路を電流駆動回路に設けてＲ，Ｇ，Ｂ対応に、例えば、３０μＡ〜７５μＡの範囲で５μＡ刻みで所定のビットデータを設定することでＲ，Ｇ，Ｂそれぞれの基準電流を調整しているが、最近では各種の有機ＥＬ材料が開発されてきており、ホワイトバランスを採るための輝度調整の範囲は、４ビット程度のＤ／Ａ変換回路では対応しきれなくなってきている。
【０００６】
しかし、輝度調整のためのＤ／Ａ変換回路のビット数を、例えば、６ビットないし８ビットに増加とすると、電流駆動回路は、Ｒ，Ｇ，Ｂ対応にＤ／Ａ変換回路がそれぞれ設けられる関係から回路規模が大きくなり、電流駆動回路のワンチップ化が難しくなる。さらには表示装置部分の小型化の要請に十分応えられなくなる。
そこで、この発明の目的は、ホワイトバランス調整のために行われるＲ，Ｇ，Ｂの各基準電流値の調整ダイナミックレンジが小さくても精度よくホワイトバランス調整ができる有機ＥＬ駆動回路および有機ＥＬ表示装置を提供することにある。
【課題を解決するための手段】
【０００７】
前記の目的を達成するためのこの発明の有機ＥＬ駆動回路およびこれを用いる有機ＥＬ表示装置の構成は、有機ＥＬパネルの端子ピンに陽極側が接続された有機ＥＬ素子の電荷を放電するために端子ピンと第１の電位のラインとの間に接続されＲ，Ｇ，Ｂの端子ピンに対応してそれぞれ設けられた３個以上の第１のスイッチ回路と、有機ＥＬ素子の陽極側を素子発光電圧未満の所定の電位に設定するために端子ピンと第２の電位のラインとの間に接続されＲ，Ｇ，Ｂの端子ピンに対応してそれぞれ設けられた３個以上の第２のスイッチ回路と、有機ＥＬ素子を電流駆動する前に陽極側を所定の電位に設定するためにあらかじめ設定された所定期間において第１のスイッチ回路をＯＮさせた後にＯＦＦさせて第２のスイッチ回路をＯＮさせるパルスを発生するパルス発生回路とを備えていて、前記のパルス発生回路がＲ，Ｇ，Ｂのホワイトバランスを採る輝度調整のためにＲ，Ｇ，Ｂの少なくとも２つについて前記の所定の電位を相違させるパルス幅のパルスを発生するものである。
【発明の効果】
【０００８】
この発明にあっては、定電圧リセットをディスチャージとプリチャージとに分け、それぞれに対応して第１、第２のスイッチ回路を設けている。これにより、Ｒ，Ｇ，Ｂ対応にグランド電位にディスチャージしてから素子発光電圧未満の所定の電位に設定するようにしている。したがって、定電圧リセットの場合よりもディスチャージの電位差が大きくなり、グランドにディスチャージできるので、急速に有機ＥＬ素子の残留電荷を放電することができ、その期間は短くて済む。また、発光電圧未満の所定電圧へのプリチャージは、例えば、数Ｖ程度と低いので、グランド電位からプリチャージ（充電）する時間は短くて済む。その結果、ディスチャージ＋プリチャージのトータルとしての期間は短くなる。
具体的に説明すると、従来と同様に、有機ＥＬ駆動回路の各カラムピン対応に加えられる有機ＥＬ素子の電流駆動波形は、図３（ａ）に示すように、プリチャージされた素子発光電圧未満の所定の電圧からスタートするピーク電流波形となる。したがって、縦軸は駆動電流値であり、横軸は、時間軸であって、電流値が“０”の軸となる。
そのため、電流駆動波形が発生する前に有機ＥＬ素子の陽極側に対してディスチャージとプリチャージとが行われる。このディスチャージ＋プリチャージ期間は、図３（ａ）に示す、いわゆる定電圧のリセット期間Ｔであり、有機ＥＬ素子の駆動は、この期間Ｔを経て表示期間Ｄに入り、駆動電流は、その初期にピーク電流Ｐを発生し、その後に定電流Ｓを発生する。なお、図中の期間Ｃは、ロー側走査においてその走査ラインが切換わる期間である。
【０００９】
ところで、この期間Ｃとリセット期間Ｙ（本来のリセットをしている期間）との和が水平走査の帰線期間に対応するリセット期間である。表示期間Ｄとこの帰線期間に対応するリセット期間は、タイミングコントロールパルス（リセットコントロールパルス）により切分けられ、表示期間Ｄ＋このリセット期間が水平走査の周期（水平走査の周波数）に対応している。
【００１０】
定電圧リセット期間Ｔには、図３（ｂ），（ｃ）に示すように、ディスチャージ期間ｔdとプリチャージ期間（Ｔ−ｔd）とがある。ディスチャージ期間は、ディスチャージパル
スＰｄにより、カラムピン側がグランドＧＮＤに落とされ、有機ＥＬ素子の陽極端子がグランド電位に設定される期間であり、プリチャージ期間は、残りの期間（Ｔ−ｔd）の間、プリチャージパルスＰcにより有機ＥＬ素子の陽極端子が一定電圧ＶPRに設定される期
間である。そして、一定電圧ＶPRに設定された状態で次の表示期間Ｄにおいて駆動電流が
発生する。
表示期間Ｄの初期では、図３（ｄ）に示すピーク電流発生パルスＰpが発生して、このパルスにより、ピーク電流Ｐが生成され、これが有機ＥＬ素子の陽極に加えられえる。  なお、有機ＥＬ素子の陰極端子は、ロー側の走査回路により走査され、走査対象となっている１水平ライン分の有機ＥＬ素子の陰極がグランドＧＮＤへと落とされる。このロー側の走査においては、走査対象以外のローラインは、通常、Ｈｉｇｈレベルに設定され、このローラインに接続された有機ＥＬ素子が逆バイアスされる。
その結果、定電圧リセット期間Ｔを短くできるので、その分長い発光期間が確保できる。これにより、この発明では、Ｒ，Ｇ，Ｂの輝度を向上させることができ、特に、高速表示走査に適した表示装置を実現することができる。
なお、前記のようなディスチャージ＋プリチャージを、Ｒ，Ｇ，Ｂにそれぞれに分けてそれぞれにディスチャージとプリチャージを行えば、この発明では、従来の定電圧リセットやグランド電位へのディスチャージから電流駆動する場合よりもリセット期間をさらに短くできる。
【００１１】
さらに、この発明にあっては、ディスチャージ＋プリチャージを、Ｒ，Ｇ，Ｂにそれぞれに分けて行い、さらにＲ，Ｇ，Ｂそれぞれにに対応してそれぞれにプリチャージ電圧を設定する。
これは、図３（ａ）に示す電流駆動波形に着目したものであり、ディスチャージとプリチャージが行われる定電圧リセット期間Ｔにおけるディスチャージ期間ｔdをＲ，Ｇ，Ｂごとに相違させてそれぞれの残りのプリチャージの期間（Ｔ−ｔd）を変更するものである。このことで、最終的に設定されるプリチャージの電圧値がＲ，Ｇ，Ｂごとに異なる電圧値に設定される。図３（ａ），（ｅ），（ｆ）の各図の点線で示す波形がそれぞれの電流駆動波形に対応する駆動電圧波形である。
具体的には、発光効率の低いＲについての駆動は、従来と同様なプリチャージパルスＰcを使用し、プリチャージの期間（Ｔ−ｔd）を確保する。これにより有機ＥＬ素子の陽極
端子が一定電圧ＶPRに設定された後に表示期間Ｄに入り、所定のピーク電流でＲについて
の有機ＥＬ素子が駆動される。発光効率の高いＧ，Ｂについての駆動は、ディスチャージパルスの期間を長く採り、期間ｔgあるいは期間ｔb（ただしｔg＞ｔd，ｔb＞ｔd）とし、
これらの期間の後にプリチャージパルスＰcgあるいはプリチャージパルスＰcbによりそれ
ぞれ期間（Ｔ−ｔg）あるいは期間（Ｔ−ｔb）でプリチャージを行う。
【００１２】
その結果、Ｇ，Ｂの駆動波形は、図３（ｅ），（ｆ）に示すようになり、プリチャージ電圧が電圧ＶPRより低い値になる。これにより、図３（ｅ），（ｆ）に示すように、Ｒに対してＧ，Ｂの駆動波形のピーク電流の立ち上がりが遅くなり、かつ、ピーク電流の期間も短くなり、結果として発光期間がその分短くなる。したがって、Ｒに対してＧ，Ｂの発光効率が高くても、輝度が下がり、発光輝度をＲに輝度を近づけることができる。
そこで、たとえ、Ｒ，Ｇ，Ｂにおける基準電流の調整範囲についてそのダイナミックレンジが小さくても、Ｒ，Ｇ，Ｂそれぞれにプリチャージ電圧を調整することで、この発明にあっては、Ｒ，Ｇ，Ｂのホワイトバランスを精度よく調整することができる。
なお、Ｇ，Ｂの発光効率の差は小さいので、Ｇ，Ｂについては同じ調整であってもよく、これらの調整は区別されなくてもよい。また、今後開発される発光材料により発光効率はＲ，Ｇ，Ｂともさらに異なる場合もある。そこで、この発明では、パルス発生回路がＲ，Ｇ，Ｂのホワイトバランスを採る輝度調整のためにＲ，Ｇ，Ｂの少なくとも２つについて所定の電位を相違させるパルス幅のパルスを発生すればよい。
【発明を実施するための最良の形態】
【００１３】
図１は、この発明の有機ＥＬ駆動回路を適用した一実施例の有機ＥＬパネルのカラムドライバと有機ＥＬ素子の端子電圧リセット回路の関係を中心とするブロック図、図２は、図１におけるカラムドライバのブロック図、そして、図３は、その電流駆動波形の説明図である。
図２のカラムドライバから先に説明すると、１０は、有機ＥＬパネルにおける有機ＥＬ駆動回路としてのカラムＩＣドライバ（以下カラムドライバ）である。このカラムドライバ１０は、基準電流発生回路１と、Ｒ（赤）に対応して設けられたＲ−基準電流生成回路２Ｒと、Ｇ（緑）に対応して設けられたＧ−基準電流生成回路２Ｇ、そして、Ｂ（青）に対応して設けられたＢ−基準電流生成回路２Ｂとを有している。
【００１４】
各基準電流設定回路２Ｒ，２Ｇ，２Ｂは、それぞれ基準電流発生回路１から基準電流Ｉrefを入力段として設けられたカレントミラー回路で受けてそれぞれの表示色に対応した基準電流Ｉr，Ｉg，Ｉbを生成する。カレントミラー回路３は、基準電流分配回路であり、生成された基準電流Ｉr，Ｉg，Ｉbにより入力側トランジスタがそれぞれに駆動され、出力側トランジスタにおいて端子ピン対応に生成した基準電流を分配する。
なお、Ｇ−基準電流生成回路２Ｇ、Ｂ−基準電流生成回路２Ｂが接続されるカレントミラー回路３についてはＲ−基準電流生成回路２Ｒが接続されているカレントミラー回路３と同様な構成であるので、特に図示してはいない。そこで、以下では、Ｒ−基準電流生成回路２Ｒとカレントミラー回路３との関係について説明し、Ｇ−基準電流生成回路２ＧとＢ−基準電流生成回路２Ｂとのカレントミラー回路３との関係については割愛する。
また、各基準電流設定回路２Ｒ，２Ｇ，２Ｂは、それぞれ４ビット程度のＤ／Ａ変換回路（Ｄ／Ａ）２が設けられていて、ホワイトバランス調整のためにＲ，Ｇ，Ｂそれぞれの表示色に対応する基準電流の電流値がそれぞれのＤ／Ａ２に設定されるデータで調整される。この４ビットのデータは、装置外部から入力データとしてＭＰＵ７に供給されてＭＰＵ７からレジスタ（図示せず）を介して各Ｄ／Ａ２に設定される。
【００１５】
Ｒ−基準電流生成回路２Ｒは、基準電流発生回路１により基準電流Ｉrefで駆動されてＲについての基準電流Ｉrを生成する。カレントミラー回路３は、この基準電流Ｉrを入力側のトランジスタＴraで受けて駆動され、出力側に基準電流Ｉrを発生して、Ｒの各端子ピン対応に基準電流Ｉrを分配する。
カレントミラー回路３は、入力側のトランジスタＴraと、これとカレントミラー接続されるＰチャネルＭＯＳＦＥＴトランジスタＴrb〜Ｔrnとを有していて、トランジスタＴrb〜Ｔrnのソースは、電源ライン＋ＶDD（＝＋３Ｖ）に接続されている。
トランジスタＴrb〜Ｔrnのドレインは、Ｄ／Ａ変換回路４Ｒ，４Ｒ…に接続され、それぞれのドレインからの出力電流Ｉrは、このＤ／Ａ変換回路４Ｒの基準駆動電流とされる。なお、Ｇ−基準電流生成回路２Ｇ、Ｂ−基準電流生成回路２Ｂは、それぞれ出力電流Ｉg，Ｉbを出力する。
【００１６】
各Ｄ／Ａ変換回路４Ｒは、ＭＰＵ７からレジスタ６を介して表示データを受けてＲ−基準電流生成回路２Ｒで生成されたＲについての基準駆動電流Ｉrを表示データ値分増幅してそのときどきの表示輝度に応じた駆動電流を生成し、それぞれに出力段電流源５Ｒを駆動する。各出力段電流源５Ｒは、一対のトランジスタからなるカレントミラー回路（図１参照）で構成され、Ｒについてのカラム側の出力端子Ｘ1〜Ｘmを介して駆動電流ｉを有機ＥＬパネル（Ｒについての各有機ＥＬ素子の陽極）に出力する。
最終段のトランジスタＴrnのドレインは、Ｄ／Ａ変換回路４Ｒに接続され、このＤ／Ａ変換回路４Ｒを駆動する。Ｄ／Ａ変換回路４Ｒは、設定されたデータに応じて出力段電流源５Ｒを駆動し、出力段電流源５Ｒが出力電流ＩoutをこのＩＣの外部出力端子１０ｂから外部へと出力する。この出力は、次段に設けられたカラムＩＣドライバに入力されて、同様な駆動電流を発生するモニタ電流にされる。なお、このモニタ電流は、Ｂ側あるいはＧ側に設けられた出力段電流源の１つから出力されてもよい。
【００１７】
図１は、このようなカラムドライバ１０と有機ＥＬ素子の端子電圧リセット回路８との関係を示すものである。
図中、４Ｒは、図２のＤ／Ａ変換回路４Ｒであり、Ｄ／Ａ変換回路４Ｇ，Ｄ／Ａ変換回路４Ｂは、それぞれＤ／Ａ変換回路４Ｒに対応するＧ側あるいはＢ側の回路である。同様に、５Ｒは、図２の出力段電流源５Ｒであり、出力段電流源５Ｇ，出力段電流源５Ｂは、それぞれ出力段電流源５Ｒに対応するＧ側あるいはＢ側の回路である。カラムピン９G1，９R1，９B1，９G2，９R2，…は、カラムドライバ１０の出力端子（そのうちＲの出力端子が図２の出力端子Ｘ1〜Ｘm）であると同時に、ここではこれが有機ＥＬパネルの各端子ピンに接続され、この端子ピンにもなっている。この各カラムピンは、有機ＥＬ素子１１の陽極側に接続され、この有機ＥＬ素子１１の陰極側がロー側走査回路（図示せず）のラインに接続されている。
さて、端子電圧リセット回路８は、有機ＥＬ素子の陽極側の端子電圧を定電圧リセットするものであって、リセットパルス発生回路８１と、プログラマブルパルス幅リセットパルス発生回路８２，８３、Ｒ，Ｇ，Ｂに対応して定電圧ＶPR，定電圧ＶPG，定電圧ＶPBを発生するプログラマブル定電圧発生回路８４（ただし、ＶPG＜ＶPR，ＶPB＜ＶPRである。）、各カラムピンに対応してそれぞれ設けられたリセットスイッチ回路ＳＲ1G，ＳＲ1R，ＳＲ1B，ＳＲ2G，ＳＲ2R，ＳＲ2B…、そしてプリチャージスイッチ回路ＳＰ1G，ＳＰ1R，ＳＰ1B，ＳＰ2G，ＳＰ2R，ＳＰ2B…とからなる。
【００１８】
リセットパルス発生回路８１は、リセット期間ＴにおいてディスチャージパルスＰｄとプリチャージパルスＰcを発生し、プログラマブルパルス幅リセットパルス発生回路８２は、リセット期間ＴにおいてディスチャージパルスＰｄGとプリチャージパルスＰcGを発生し、プログラマブルパルス幅リセットパルス発生回路８３は、リセット期間ＴにおいてディスチャージパルスＰｄBとプリチャージパルスＰcBを発生する。
プログラマブル定電圧発生回路８４は、従来のようなツエナーダイオード等による定電圧発生ではなく、Ｒ，Ｇ，Ｂに対応して３端子レギュレータ３個とＤ／Ａ変換回路３個とで構成される。それぞれの３端子レギュレータは、それぞれのＤ／Ａからそれぞれに所定の電圧を受けることで定電圧ＶPR，定電圧ＶPG，定電圧ＶPBを発生する。この回路は、プログラマブル３端子レギュレータにより発生する定電圧ＶPR，定電圧ＶPG，定電圧ＶPBは、それぞれＭＰＵ等からプログラマブル定電圧発生回路８４にデータ設定をすることで設定データに応じて調整することができる。しかも、３端子レギュレータを用いれば能動的な電流供給動作をするので大きなプリチャージ電流を発生することができ、プリチャージ期間をその分短縮できる。
なお、プログラマブル定電圧発生回路８４に設定するデータは、例えば、ＭＰＵ内部の不揮発性メモリ等に記憶しておき、電源ＯＮ時にプログラマブル定電圧発生回路８４に設定する。また、これらの設定データは、外部からＭＰＵに対して入力される入力データに応じて不揮発性メモリ等に記憶される。特に、ＭＰＵへのデータ入力と不揮発性メモリへのデータの書込みは、製品出荷のテスト段階等でＲ，Ｇ，Ｂ対応にそれぞれキーボードから入力してホワイトバランス調整を行うようにするとよい。
【００１９】
さて、すべてのリセットスイッチ回路ＳＲ1G，ＳＲ1R，ＳＲ1B，ＳＲ2G，ＳＲ2R，ＳＲ2B…の一端は、それぞれグランドラインＧＮＤに接続されている。そして、Ｇ（緑）に対応するリセットスイッチ回路ＳＲ1G，ＳＲ2G，…の他端は、それぞれＧ（緑）に対応するカラムピン９G1，９G2，…にそれぞれ接続され、Ｒ（赤）に対応するリセットスイッチ回路ＳＲ1R，ＳＲ2R，…の他端は、それぞれＲ（赤）に対応するカラムピン９R1，９R2，…にそれぞれ接続され、そしてＢ（青）に対応するリセットスイッチ回路ＳＲ1B，ＳＲ2B，…の他端は、それぞれＢ（青）に対応するカラムピン９B1，…にそれぞれ接続されている。
Ｇに対応するプリチャージスイッチ回路ＳＰ1G，ＳＰ2G…の一端は、それぞれプログラマブル定電圧発生回路８４の定電圧ＶPGの電圧ライン８４Gに接続され、それぞれの他端は、それぞれＧに対応するカラムピン９G1，９G2，…にそれぞれ接続されている。また、Ｒに対応するプリチャージスイッチ回路ＳＰ1R，ＳＰ2R…の一端は、それぞれプログラマブル定電圧発生回路８４の定電圧ＶPRの電圧ライン８４Rに接続され、それぞれの他端は、それぞれＲに対応するカラムピン９R1，９R2，…にそれぞれ接続されている。そしてＢに対応するプリチャージスイッチ回路ＳＰ1B，ＳＰ2B…の一端は、それぞれプログラマブル定電圧発生回路８４の定電圧ＶPBの電圧ライン８４Rに接続され、それぞれの他端は、それぞれＢに対応するカラムピン９B1，…にそれぞれ接続されている。
【００２０】
リセットパルス発生回路８１は、Ｒに対応するリセットスイッチ回路ＳＲ1R，ＳＲ2R，…に対してディスチャージパルスＰｄを送出し、Ｒに対応するプリチャージスイッチ回路ＳＰ1R，ＳＰ2R，…に対してプリチャージパルスＰcを送出する。プログラマブルパルス幅リセットパルス発生回路８２は、Ｇに対応するリセットスイッチ回路ＳＲ1G，ＳＲ2G，…に対してディスチャージパルスＰｄGを送出し、Ｇに対応するプリチャージスイッチ回路ＳＰ1G，ＳＰ2G，…に対してプリチャージパルスＰcGを送出する。プログラマブルパルス幅リセットパルス発生回路８３は、Ｂに対応するリセットスイッチ回路ＳＲ1B，ＳＲ2B，…に対してディスチャージパルスＰｄBを送出し、Ｂに対応するプリチャージスイッチ回路ＳＰ1B，ＳＰ2B，…に対してプリチャージパルスＰcBを送出する。
これらのスイッチ回路は、各パルスを受けてそれぞれのパルス幅の期間ＯＮになる。
【００２１】
ここで、期間Ｃとリセット期間Ｔと表示期間Ｄからなる期間において、図３（ａ）に示すように、Ｒに対応するディスチャージパルスＰｄのパルス幅は、ディスチャージ期間ｔdに対応してｔdであり、この期間の間リセットスイッチ回路ＳＲ1R，ＳＲ2R，…がＯＮになる。残りの期間（Ｔ−ｔd）がプリチャージパルスＰcのパルス幅となり、この期間（Ｔ−ｔd）の間プリチャージスイッチ回路ＳＰ1R，ＳＰ2R，…がＯＮになる。
その結果、有機ＥＬ素子の陽極端子が一端グランドＧＮＤの電位に設定された後にプリチャージ電圧ＶPRに設定される。
一方、Ｇに対応するディスチャージパルスＰｄGのパルス幅は、ディスチャージ期間ｔgに対応してｔgであり、残りの期間（Ｔ−ｔg）がプリチャージパルスＰcGのパルス幅となる。ただしｔg＞ｔdである。これらパルスによりリセットスイッチ回路ＳＲ1G，ＳＲ2G，…が期間ｔgの間ＯＮになり、プリチャージスイッチ回路ＳＰ1G，ＳＰ2G，…が期間（Ｔ−ｔg）の間ＯＮになる。
その結果、図３（ｅ）に示すように、有機ＥＬ素子の陽極端子が一端グランドＧＮＤの電位に設定された後にプリチャージ電圧ＶPGか、あるいはプリチャージ期間（Ｔ−ｔg）で決定される、これよりも低い所定の電圧に設定される。プリチャージ電圧ＶPGは、プリチャージ電圧ＶPRより低い電圧になる。
また、Ｂに対応するディスチャージパルスＰｄBのパルス幅は、ディスチャージ期間ｔbに対応してｔbであり、残りの期間（Ｔ−ｔb）がプリチャージパルスＰcBのパルス幅となる。ただしｔb＞ｔdである。これらパルスによりリセットスイッチ回路ＳＲ1B，ＳＲ2B，…が期間ｔbの間ＯＮになり、プリチャージスイッチ回路ＳＰ1B，ＳＰ2B，…が期間（Ｔ−ｔb）の間ＯＮになる。
【００２２】
その結果、図３（ｆ）に示すように、プリチャージ電圧ＶPBか、あるいはプリチャージ期間（Ｔ−ｔb）で決定される、これよりも低い所定の電圧に設定される。プリチャージ電圧ＶPBは、Ｇの場合と同様にプリチャージ電圧ＶPRより低い電圧になる。このように、Ｒに対してＢとＧとは、プリチャージ電圧が低いので、その分、ピーク電流の立ち上がりが遅くなる。したがって、実質的な発光期間が短くなる。これにより、Ｒに対してＧ，Ｂの発光効率が高くても、輝度を下げることができる。その結果、Ｒに対してＧ，Ｂの輝度を近づけることができ、たとえ、基準電流の調整ダイナミックレンジが小さくても、Ｒ，Ｇ，Ｂの輝度によるホワイトバランス調整を容易に行うことができる。
【００２３】
ところで、以上は、この発明の構成を中心とした実施例である。表示輝度調整についてこの発明をより単純化して原理的な説明をすれば、プログラマブル定電圧発生回路８４の構成を、例えば、定電圧ＶPRを発生するプログラマブル３端子レギュレータ１個として、Ｒ，Ｇ，Ｂのプリチャージ電圧を等しくする。これにより図３（ａ）に示した電流駆動波形を用いるものである。
【産業上の利用可能性】
【００２４】
以上説明してきたが、実施例では、ＧとＢとは、それぞれ独立の回路を設けて、それぞれにディスチャージパルスとプリチャージパルスを発生しているが、現在のところＧとＢの発光材料による発光効率の差は少ないので、これらは同一の１つの回路として、この１つの回路で制御することができる。
さらに、Ｒのプリチャージ電圧を決める定電圧ＶPRは、Ｒの発光効率に応じて有機ＥＬ素子が発光しない程度の高い電圧値に設定することができる。
また、実施例のプログラマブル定電圧発生回路８４は、単なる定電圧発生回路であってもよい。
なお、有機ＥＬパネルの端子ピンとこの端子ピンに接続されるカラムドライバＩＣの出力ピンとは、本来接続されて一体となるので、この明細書および特許請求の範囲においては特に区別していない。
【図面の簡単な説明】
【００２５】
【図１】図１は、この発明の有機ＥＬ駆動回路を適用した一実施例の有機ＥＬパネルのカラムドライバと有機ＥＬ素子の端子電圧リセット回路の関係を中心とするブロック図である。
【図２】図２は、図１におけるカラムドライバのブロック図である。
【図３】図３は、その電流駆動波形の説明図である。
【符号の説明】
【００２６】
１…基準電流発生回路、２Ｒ，２Ｇ，２Ｂ…基準電流生成回路、
３…カレントミラー回路、４Ｒ，４Ｇ，４Ｂ…Ｄ／Ａ変換回路、
５Ｒ，５Ｇ，５Ｂ…出力段電流源、６…レジスタ、７…ＭＰＵ、
８…端子電圧リセット回路、８１…リセットパルス発生回路、
８２，８３…プログラマブルパルス幅リセットパルス発生回路、
８４…プログラマブル定電圧発生回路、
ＳＲ1G,ＳＲ1R,ＳＲ1B,ＳＲ2G,ＳＲ2R,ＳＲ2B…リセットスイッチ回路、
ＳＰ1G,ＳＰ1R,ＳＰ1B,ＳＰ2G,ＳＰ2R,ＳＰ2B…プリチャージスイッチ回路、
１０…カラムＩＣドライバ、
Ｔr1〜Trk，Ｔra〜Trn，Ｑn1，Ｑn2〜Ｑnn，Ｑp1〜Ｑpn…トランジスタ。
【図１】
0004690665.tif 000002
【図２】
0004690665.tif 000003
【図３】
0004690665.tif 000004